(57)【要約】【課題】本発明の目的は、中空の角筒として構成させた鋼製大引を土台に簡易に位置決めして結合することが可能であり、コスト及び作業時間を低減させることが可能な鋼製大引固定金具を提供することにある。【解決手段】中空筒状の鋼製大引Ｇを土台に連結するための鋼製大引固定金具Ｓに関する。  鋼製大引固定金具Ｓは、大引Ｇの端部を支持して係止固定する大引係止部２と、土台Ｄに固定されるとともに大引係止部２を支持する土台連結部１とを備え、大引係止部２は、土台連結部１から起立しており、この大引係止部２には、大引Ｇの内部に挿入されて、大引Ｇの内壁面の天面となる面を載置支持する支持係止片２１が形成されている。【選択図】図１
2010138557.tif 000002
【特許請求の範囲】
【請求項１】
中空筒状の鋼製大引を土台に連結するための鋼製大引固定金具であって、
該鋼製大引固定金具は、
前記大引の端部を支持して係止固定する大引係止部と、前記土台に固定されるとともに前記大引係止部を支持する土台連結部と、を備え、
前記大引係止部は、前記土台連結部から起立しており、
前記大引係止部には、
前記大引の内部に挿入されて、前記大引の内壁面の天面となる面を載置支持する支持係止片が形成されていることを特徴とする鋼製大引固定金具。
【請求項２】
前記土台連結部には、前記大引係止部が起立している方向と反対方向に突出する少なくとも一つの爪部が形成されており、該爪部が前記土台に打ち込まれることにより前記土台に固定されることを特徴とする請求項１に記載の鋼製大引固定金具。
【請求項３】
前記土台連結部からは、補強係止爪部が延出しており、
該補強係止爪部は、該補強係止爪部の前記自由端側が前記大引係止部が起立している方向と反対方向に屈曲した略Ｌ字形状に形成されており、
前記自由端側が前記土台に打ち込まれることにより前記土台に固定されることを特徴とする請求項１に記載の鋼製大引固定金具。
【請求項４】
前記大引係止部には、前記支持係止片とともに、
前記大引の前記天面となる面の外側面に載置され、前記支持係止片が前記天面となる面に加える力とは反対方向に押圧力を加える押圧固定片が形成されていることを特徴とする請求項１に記載の鋼製大引固定金具。
【請求項５】
前記土台連結部は平板状の部材であり、
前記大引係止部は前記土台連結部の一端部側から起立しており、
前記大引係止部には前記支持係止片と、前記大引の前記天面となる面の外側面に載置され、前記支持係止片が前記天面となる面に加える力とは反対方向に押圧力を加える押圧固定片とが、並列して形成されており、
前記土台連結部には、前記大引係止部が起立している方向と反対方向に突出する少なくとも一つの爪部が形成されるとともに、自由端側が前記大引係止部が起立している方向と反対方向に屈曲した略Ｌ字形状の補強係止爪部が延出しており、
前記爪部及び前記補強係止爪部の前記自由端側が前記土台に打ち込まれることにより前記土台に固定されることを特徴とする請求項１に記載の鋼製大引固定金具。
【請求項６】
前記大引係止部は、前記支持係止片と、該支持係止片の両側に各々形成された２つの前記押圧固定片とで構成され、
前記支持係止片が前記大引の内部に挿入されて、前記大引の内壁面の天面となる面を載置支持するとともに、前記押圧固定片が前記大引の前記天面となる面の外側面に載置され、前記支持係止片が前記天面となる面に加える力とは反対方向に押圧力を加えることにより、前記大引が固定されることを特徴とする請求項５に記載の鋼製大引固定金具。
【請求項７】
前記土台連結部は平板状の部材であり、
前記大引係止部は前記土台連結部の一端部側から起立しており、
前記支持係止片は、自由端側が、前記土台連結部が延びる方向と反対方向側に位置するように略Ｌ字形状に屈曲した形状であることを特徴とする請求項６に記載の鋼製大引固定金具。
【請求項８】
前記支持係止片の前記自由端側は、
前記大引の前記天面となる面の外側面に載置され、前記支持係止片が前記天面となる面に加える力とは反対方向に押圧力を加える押圧固定片よりも、前記土台連結部が延びる方向側に配設されることを特徴とする請求項７に記載の鋼製大引固定金具。
【請求項９】
前記爪部は、二辺が切り離されるとともに、一辺を中心線として屈曲させて立ち上げられた略三角形状の部分として複数形成されており、
前記土台連結部が前記土台に取付けられたとき、水平方向に延びる前記中心線となる一辺を有する前記爪部と、上下方向に延びる前記中心線となる一辺を有する前記爪部とが混在していることを特徴とする請求項２又は請求項５に記載の鋼製大引固定金具。
【発明の詳細な説明】
【技術分野】
【０００１】
本発明は、鋼製の大引を土台に連結するための鋼製大引固定金具に関し、特に、中空の角筒として構成させた鋼製大引を土台に簡易に位置決めして結合することを可能とした鋼製大引固定金具に関するものである。
【背景技術】
【０００２】
一般的な住宅建築においては、土台又は基礎に連結された大引の上に根太を配設することによって床組みが形成されたり、大引の上に床パネルを敷設して床を形成することが多い。
また、この大引は束により支持されることが一般的である。
このような状況下において、床の強度を向上させるために、木材ではなく、鋼製の大引が使用されることが多い。
このように鋼製の大引を使用するにおいては土台又は基礎に大引を連結させる必要があるが、このために様々な金物が提案されている。（例えば、特許文献１及び特許文献２参照）。
【０００３】
特許文献１には、鋼製大引きの接合支持金具が開示されている。
この接合支持金具は、矩形の大引受面とその両側から起立する２つの起立片と、大引受面から垂下する（起立片が形成されていない辺上から、起立片が起立する方向と逆方向に立ち下がっている）垂下部から構成されている。
大引きは、大引受面と２つの起立片とで形成される空間に配設されるとともにこの大引受面に載置され、垂下部は基礎に接続される。
このように、特許文献１に記載の技術においては、接合支持金具を介して、大引きは基礎に接続されることとなる。
なお、起立片には固定金具挿通用孔が形成されており、鋼製大引きは、この固定金具相通孔より固定金具を挿入固定することにより接合支持金具に固定される。
また、垂下部には、同様に固定金具挿通用孔が形成されており、接合支持金具は、この固定金具挿通用孔より固定金具を挿入固定することにより基礎に固定される。
【０００４】
特許文献２には、大引きの取付金具が開示されている。
この大引きの取付金具は、基礎の天端に載置固定される矩形状の水平版と、この水平版の一辺から基礎の側面に沿って垂下する矩形状の垂直板と、この水平版の上下方向に延びる二辺から起立する（基礎に取付けられたとき、基礎から外側方向に起立する）大引き取付部とから構成されている。
大引きは、この大引き取付部に挟持された状態でボルトにより固定される。
また、大引きの取付金具は、水平板が基礎の天端に載置された状態で、この水平板をボルトにより固定することによって基礎に取付られる。
このようにして、特許文献２に記載の技術においては、取付金具を介して、大引きは基礎に接続されることとなる。
【０００５】
【特許文献１】特開２００３−１１９９４４号公報
【特許文献２】特開２００３−０４１６６７号公報
【発明の開示】
【発明が解決しようとする課題】
【０００６】
しかし、特許文献１及び特許文献２の技術では、基礎及び土台と大引とを金具を介して連結することは可能となるが、金具を取付けるために、ビス、ボルト等の部品が必要である。
このため、これらを取付けるための工具も必要となり、取付けるための手間もかかることとなる。
つまり取付けるための材料コスト及び人件費もかかるとともに、作業時間も長くなるという問題点があった。
また、このような取付け作業においては、作業員の作業姿勢が不自然な姿勢を強いられるため、人間工学的にも好ましいものではなかった。
【０００７】
本発明の目的は、上記各問題点を解決することにあり、中空の角筒として構成させた鋼製大引を土台に簡易に位置決めして結合することが可能であり、コスト及び作業時間を低減させることが可能な鋼製大引固定金具を提供することにある。
【課題を解決するための手段】
【０００８】
上記課題は、請求項１に係る鋼製大引固定金具によれば、中空筒状の鋼製大引を土台に連結するための鋼製大引固定金具であって、該鋼製大引固定金具は、前記大引の端部を支持して係止固定する大引係止部と、前記土台に固定されるとともに前記大引係止部を支持する土台連結部と、を備え、前記大引係止部は、前記土台連結部から起立しており、前記大引係止部には、前記大引の内部に挿入されて、前記大引の内壁面の天面となる面を載置支持する支持係止片が形成されていることにより解決される。
【０００９】
このように、本発明における鋼製大引固定金具によれば、大引係止部に大引を載置固定した状態で、土台連結部を土台に取付けることによって、この鋼製大引固定金具を介して大引を土台に簡易に連結することができる。
このため、土台に大引を取付けるためのコストを低減させることができる。
【００１０】
このとき、前記土台連結部には、前記大引係止部が起立している方向と反対方向に突出する少なくとも一つの爪部が形成されており、該爪部が前記土台に打ち込まれることにより前記土台に固定されるように構成されていると好適である。
【００１１】
このように構成されていることによって、鋼製大引固定金具を土台に簡易に取付けることができる。
つまり、爪部を土台に打ち込むだけで、鋼製大引固定金具を土台に取付けることができ、ボルト等の部材や、これらを取付けるための工具もまた不要となる。
このため、土台に大引を取付けるためのコストを大きく低減させることができるとともに、作業時間を短縮することができ、工数低減に寄与する。
【００１２】
また、請求項１に記載の発明において、前記土台連結部からは、補強係止爪部が延出しており、該補強係止爪部は、該補強係止爪部の前記自由端側が前記大引係止部が起立している方向と反対方向に屈曲した略Ｌ字形状に形成されており、前記自由端側が前記土台に打ち込まれることにより前記土台に固定されるよう構成されていると好適である。
【００１３】
このように構成されていると、爪部のみではなく、補強係止爪部によっても、鋼製大引固定金具は土台に取付けられるため、より強固により確実に鋼製大引固定金具を土台に取付けることができるため好適である。
【００１４】
また、具体的及び実用的には、補強係止爪部の自由端側は、先端が鋭利に形成されていると、補強係止爪部の自由端側を土台に打ち込む際、スムーズに打ち込むことができ、土台に無理な力がかかることを防止することができる。
このため、土台の割れ等の不具合を防止することができる。
【００１５】
また、請求項１に記載の発明において、前記大引係止部には、前記支持係止片とともに、
前記大引の前記天面となる面の外側面に載置され、前記支持係止片が前記天面となる面に加える力とは反対方向に押圧力を加える押圧固定片が形成されていると好適である。
このように構成されていると、支持係止片と押圧固定片とにより、大引の天面を挟み込んだ状態で確実に把持できる。
よって、高い強度で大引を鋼製大引固定金具で固定することができる。
【００１６】
更に、より具体的には、請求項１に記載の発明において、前記土台連結部は平板状の部材であり、前記大引係止部は前記土台連結部の一端部側から起立しており、前記大引係止部には前記支持係止片と、前記大引の前記天面となる面の外側面に載置され、前記支持係止片が前記天面となる面に加える力とは反対方向に押圧力を加える押圧固定片とが、並列して形成されており、前記土台連結部には、前記大引係止部が起立している方向と反対方向に突出する少なくとも一つの爪部が形成されるとともに、自由端側が前記大引係止部が起立している方向と反対方向に屈曲した略Ｌ字形状の補強係止爪部が延出しており、前記爪部及び前記補強係止爪部の前記自由端側が前記土台に打ち込まれることにより前記土台に固定されるよう構成されていると、鋼製大引固定金具を介して土台に大引を確実かつ簡易に固定することができるため好適である。
【００１７】
また、請求項６に記載の発明において、前記大引係止部は、前記支持係止片と、該支持係止片の両側に各々形成された２つの前記押圧固定片とで構成され、前記支持係止片が前記大引の内部に挿入されて、前記大引の内壁面の天面となる面を載置支持するとともに、前記押圧固定片が前記大引の前記天面となる面の外側面に載置され、前記支持係止片が前記天面となる面に加える力とは反対方向に押圧力を加えることにより、前記大引が固定されるよう構成されていると好適である。
【００１８】
このように構成されていると、支持係止片により大引の天面側を載置固定する際に加えられる上方向の力に対し、この両側から押圧固定片が下方向の力を加えることとなる。
つまり、大引の天面は、支持係止片と押圧固定片とにより確実に挟持される構成をとることとなる。
【００１９】
更に、請求項７に記載の発明において、前記土台連結部は平板状の部材であり、前記大引係止部は前記土台連結部の一端部側から起立しており、前記支持係止片は、自由端側が、前記土台連結部が延びる方向と反対方向側に位置するように略Ｌ字形状に屈曲した形状であると、支持係止片の剛性が強化されるため好適である。
【００２０】
また、このとき、前記支持係止片の前記自由端側は、前記大引の前記天面となる面の外側面に載置され、前記支持係止片が前記天面となる面に加える力とは反対方向に押圧力を加える押圧固定片よりも、前記土台連結部が延びる方向側に配設されるとより好適である。
このように構成されていると、支持係止片を大引の中空部に挿入して、天面に当接させると、支持係止片の復元力により、天面を上方に押圧する力が大きくなる。
つまり、この場合は、支持係止片は、板バネの機能を有することとなり、屈曲部分を中心により大きな力で大引の天面を上方に押圧することができる。
このため、より確実に、大引の天面は、支持係止片と押圧固定片とにより挟持されることとなる。
【００２１】
また、前記爪部は、二辺が切り離されるとともに、一辺を中心線として屈曲させて立ち上げられた略三角形状の部分として複数形成されており、前記土台連結部が前記土台に取付けられたとき、水平方向に延びる前記中心線となる一辺を有する前記爪部と、上下方向に延びる前記中心線となる一辺を有する前記爪部とが混在していると好適である。
このように、構成されていると、爪部によって、様々な方向に荷重を支持することができ、爪部による係止力が増強する。
よって、より確実に、土台連結部を土台に固定することができる。
【発明の効果】
【００２２】
本発明に係る鋼製大引固定金具によれば、大引係止部に大引を載置固定した状態で、土台連結部を土台に取付けることによって、この鋼製大引固定金具を介して大引を土台に簡易に連結することができるため、土台に大引を取付けるためのコストを低減させることができる。
また、土台連結部には、大引係止部が起立している方向と反対方向に突出する爪部が複数形成されており、この爪部を土台に打ち込むことにより、土台連結部は容易に土台に固定される。
更に、補強係止爪部を土台に打ち込むことにより、土台連結部は土台に固定されるため、より強固に鋼製大引固定金具は土台に取付けられる。
このように構成されていることによって、鋼製大引固定金具を土台に簡易かつ強固に取付けることができる。
つまり、爪部及び補強係止爪部を土台に打ち込むだけで、鋼製大引固定金具を土台に取付けることができ、ボルト等の部材や、これらを取付けるための工具もまた不要となる。
このため、土台に大引を取付けるためのコストを大きく低減させることができるとともに、作業時間を短縮することができ、工数低減に寄与する。
このように、本発明によると、中空の角筒として構成させた鋼製大引を土台に簡易に位置決めして結合することが可能であり、コスト及び作業時間を低減させることができる。
【発明を実施するための最良の形態】
【００２３】
以下、本発明の一実施形態を図面に基づいて説明する。
なお、以下に説明する構成は本発明を限定するものでなく、各部材の材質・配置等、本発明の趣旨の範囲内で種々改変することができるものである。
本実施形態は、中空の角筒として構成させた鋼製大引を土台に簡易に位置決めして結合することが可能であり、コスト及び作業時間を低減させることが可能な鋼製大引固定金具（以下、単に「固定金具」と記す）に関するものである。
【００２４】
図１乃至図８は、本発明に係る一実施形態を示すものであり、図１は固定金具の斜視図、図２は固定金具の上面図、図３は固定金具の正面図、図４は固定金具の使用方法の説明図、図５は大引係止部の機能説明図、図６は大引係止部の係止力の説明図、図７及び図８は固定金具の固定方向を示す説明図、図９は固定金具での大引の結合状態を示す説明図である。
【００２５】
図１乃至図３により、本実施形態に係る固定金具Ｓの構造を説明する。
図１乃至図３に示すように、本実施形態に係る固定金具Ｓは、土台連結部１、大引係止部２を有して構成されている。
本実施形態に係る土台連結部１は、略矩形状の鋼製平板であり、４個の爪部１１が形成されている。
【００２６】
本実施形態に係る爪部１１は、土台Ｄに取付けられる側の面にフォークの爪状に突出するように形成されている。
つまり、土台連結部１の一部を、略二等辺三角形状に底辺を残して切り込みを入れ、この残した底辺から切り込み部分（二等辺三角形の隣辺部分）を土台Ｄに取付けられる側に起こすことによって、爪状部分を形成する。
【００２７】
この爪部１１は、土台連結部１の両端部に形成されるとともに、中央部付近に２個長手方向に並列するように形成されている。
これら４個の爪部１１は、頂点を下側（後述する大引係止部２が形成される側）に向けて切り込まれて形成された略二等辺三角形状の部分であり、最終的に、頂点側を外側（土台Ｄに取付けられる側）に向かって土台連結部１に対して略垂直に起こした形状に形作られる。
つまり、土台連結部１が土台Ｄに取付けられたとき、水平方向に延びる一辺を中心線として折り曲げることにより、頂点側を外側（土台Ｄに取付けられる側）に向かって土台連結部１に対して略垂直に起こした形状に形作られる。
【００２８】
なお、爪部１１は、頂点を中央方向に向けて切り込まれて形成された略二等辺三角形状の部分であり、最終的に、頂点側を外側（土台Ｄに取付けられる側）に向かって土台連結部１に対して略垂直に起こした形状に形作られていてもよい。
つまり、土台連結部１が土台Ｄに取付けられたとき、上下方向に延びる一辺を中心線として折り曲げることにより、頂点側を外側（土台Ｄに取付けられる側）に向かって土台連結部１に対して略垂直に起こした形状に形作られていてもよい。
換言すれば、略垂直に起こしたときに、本実施形態に係る爪部１１と約９０度位相が変化した状態に形成されていてもよい。
好ましくは、本実施形態に係る爪部１１と、このように位相を変えた爪部１１が混在しているとよい。
このように各爪部１１の頂点の向きを変えることによって、土台Ｄの木目に対して複数方向に爪部１１を係止させて支持力を強化することができる。
【００２９】
なお、本実施形態においては、上記の位置に４個の爪部１１を形成したが、爪部１１の形成場所及び個数はこれに限られるものではなく、本発明の趣旨を逸脱せず、土台Ｄに固定金具Ｓを確実に係止できれば、どのような構成であってもよい。
【００３０】
また、土台連結部１の上方側端辺の中央部には位置決め溝１２が、略Ｖ字状に切り欠かれている。
この位置決め溝１２は、位置決めを行う際の目印となるため、容易に位置決めを行うことができる。
なお、この位置決め溝１２の位置、個数、形状等は、これに限られるものではなく、位置決めを行うことができるものであれば、どのような構成であってもよい。
【００３１】
また、土台連結部１の両端下端側には、補強係止爪部１３が各々形成されている。
この補強係止爪部１３は、土台連結部１の両端部下端側から下方向に延出した部分であり、略Ｌ字形状に形成されている。
つまり、補強係止爪部１３は、その自由端部（下端部）が、背面側（後述する大引係止部２が突出する側と反対側：つまり土台Ｄが配設される側）方向に配設されるように屈曲した略Ｌ字形状に形成されている。
また、自由端側（屈曲部から自由端まで）は、２個の略二等辺三角形状の爪が並列するように切り欠かれている。
説明のため、補強係止爪部１３の土台連結部１との連続部分から屈曲部までを「補強係止爪部支持部１３ａ」と記し、補強係止爪部１３の自由端側（屈曲部から自由端まで）を「補強爪部埋設部１３ｂ」と記す。
【００３２】
本実施形態に係る大引係止部２は、支持係止片としての弾性係止片２１、２個の押圧固定片２２で構成されている。
本実施形態に係る弾性係止片２１は、土台連結部１の下方側の略中央部より略垂直に突出した略矩形状の係止用爪部である。
【００３３】
なお、この弾性係止片２１は、土台Ｄに取付けられる側の反対方向（つまり、爪部１１が突出する方向とは反対方向）に向かって起立している。
この弾性係止片２１は、自由端部分が、下方に屈曲した略Ｌ字状の部材として構成されている。
以下、弾性係止片２１の屈曲部分を「屈曲当接部２１ａ」と記す。
このように、屈曲させているのは、弾性係止片２１の剛性を高めるためと、弾性力を高めるためである。
【００３４】
本実施形態に係る押圧固定片２２は、土台連結部１の下方側の両端部より略垂直に突出した略矩形状の係止用爪部である。
この押圧固定片２２は、２個形成されており、弾性係止片２１の両側に各々形成されている。
【００３５】
次いで、図４乃至図８により、固定金具Ｓを介して、大引Ｇを土台Ｄに連結する方法を説明する。
本実施形態に係る大引Ｇは、略角筒状の防錆処理された鋼製の大引部材である。
この大引Ｇの表面は、凹凸が形成されている。これは、大引Ｇの剛性を高めるために施される処理である。
なお説明のため、大引Ｇの上面側の中央部に形成された突縁を凸部Ｇ１とし、この凸部Ｇ１の両側に長手方向に沿って形成される溝部分を各々凹部Ｇ２とする。
【００３６】
まず、図４（ａ）に示すように、固定金具Ｓの弾性係止片２１を大引Ｇの突部Ｇ１内に挿入する（Ａ方向に挿入する）とともに、固定金具Ｓの押圧固定片２２，２２を大引Ｇの凹部Ｇ２上に載置するように取付ける。
つまり、弾性係止片２１は、凸部Ｇ１内に差し込まれ、凸部Ｇ１の天面の下側に配設され、押圧固定片２２は、凹部Ｇ２の底面上に載置されることとなる。
このように、固定金具Ｓを大引Ｇに取付けた様子が、図４（ｂ）である。
【００３７】
このときの、固定金具Ｓに形成された弾性係止片２１と、押圧固定片２２，２２の状態を、図５及び図６により説明する。
図５（ａ）に示すように、大引Ｇが取付けられていないときには、弾性係止片２１の先端部２１ｂは、押圧固定片２２が配設されている位置よりも若干上方に位置するように、土台連結部１に対して鋭角をなすように起立している。
つまり、土台連結部１に対して垂直よりも若干鋭角気味になるように起立している。
これは、弾性係止片２２の弾性力を大きくするためである。
【００３８】
このように形成された弾性係止片２１を、大引Ｇの凸部Ｇ１内部に挿入すると、弾性係止片２１は、押し下げられた状態で、この凸部Ｇ１内部に挿入される。
このため、弾性係止片２１は、板バネとして機能し、その復元力Ｆ１が凸部Ｇ１内部天面側に加えられることとなる。
つまり、大引Ｇは、弾性係止片２１により、復元力Ｆ１で上部方向に押されることとなる。
【００３９】
このとき、図６に示すように、大引Ｇの凹部Ｇ２には、押圧固定片２２が配設されているため、大引Ｇは上部方向に浮き上がることができず、復元力Ｆ１の反作用として押圧固定片材２２，２２から加えられる反作用力Ｆ２，Ｆ２により、下部方向側へ押圧されることとなる。
つまり、大引Ｇの上部側面は、弾性係止片２１と押圧固定片２２，２２とで挟み込まれて保持されることとなる。
このため、連結部材Ｓと大引Ｇは確実に連結されることとなる。
【００４０】
次いで、図７に示すように、大引Ｇが連結された固定金具Ｓを土台Ｄに取り付ける。
これは、固定金具Ｓの土台連結部１を土台Ｇに打ち付けることにより行う。
前述したとおり、土台連結部１には、４個の爪部１１が形成されている。
このため、土台Ｄに爪部１１を押し込むことにより、連結部材Ｓは容易に位置決めされる。
この状態で、当木Ｅを当接させて、ハンマーＨ等により、爪部１１を土台Ｄに確実に打ち込んで固定金具Ｓを土台Ｄに固定する。
【００４１】
次いで、図８に示すように、補強係止爪部１３を土台Ｄに打ち込んで固定する。
これは、補強係止爪部支持部１３ａに、ハンマーＨ等により力を加え、補強爪部埋設部１３ｂを土台Ｄに押し込むことにより実施される。
このように、この補強係止爪部１３の補強係止爪埋設部１３ｂが土台Ｄに固定されることによって、固定金具Ｓは、より強固に土台Ｄに固定される。
【００４２】
このようにして、土台Ｄに固定金具Ｓを介して大引Ｇが取付けられた様子を図９に示す。
図９に示すように、本実施計形態に係る大引Ｇは、固定金具Ｓを介して土台Ｄに取付けられる。
また、弾性係止片２１が、大引Ｇの内壁側から天面を押圧し、押圧固定片２２，２２が、大引Ｇの外壁側から天面を押圧することによって、大引Ｇの天面がこれら弾性係止片２１と押圧固定片２２，２２とで確実に挟持される。
この状態で、土台連結部１が、４個の爪部１１及び２個の補強係止爪部１３により土台Ｄに確実に取付けられ、図９に示すように、大引Ｇは、固定金具Ｓを介して土台Ｄに連結されることとなる。
【図面の簡単な説明】
【００４３】
【図１】本発明の一実施形態に係る固定金具の斜視図である。
【図２】本発明の一実施形態に係る固定金具の上面図である。
【図３】本発明の一実施形態に係る固定金具の正面図である。
【図４】本発明の一実施形態に係る固定金具の使用方法の説明図である。
【図５】本発明の一実施形態に係る大引係止部の機能説明図である。
【図６】本発明の一実施形態に係る大引係止部の係止力の説明図である。
【図７】本発明の一実施形態に係る固定金具の固定方向を示す説明図である。
【図８】本発明の一実施形態に係る固定金具の固定方向を示す説明図である。
【図９】本発明の一実施形態に係る固定金具での大引の結合状態を示す説明図である。
【符号の説明】
【００４４】
１  土台連結部
２  大引係止部
１１  爪部
１２  位置決め溝
１３  補強係止爪部
１３ａ  補強係止爪部支持部
１３ｂ  補強爪部埋設部
２１  弾性係止片（支持係止片）
２１ａ  屈曲当接部
２１ｂ  先端部
２２  押圧固定片
Ｄ  土台
Ｅ  当木
Ｇ  大引
Ｇ１  凸部
Ｇ２  凹部
Ｈ  ハンマー
Ｓ  固定金具（鋼製大引固定金具）
【図１】
2010138557.tif 000003
【図２】
2010138557.tif 000004
【図３】
2010138557.tif 000005
【図４】
2010138557.tif 000006
【図５】
2010138557.tif 000007
【図６】
2010138557.tif 000008
【図７】
2010138557.tif 000009
【図８】
2010138557.tif 000010
【図９】
2010138557.tif 000011